Podtech/llm-jp-corpus-v4-ja_patent huggingface dataset:
(57)【要約】【課題】  ブラックバス等魚類の食物調査を目的として、生きた魚の胃の内容物を採取兼観察スペースに吸引し、観察後に胃に戻すための簡易式フィッシングポンプを提供すること。【解決手段】  図１のようなゴム球の部分、調節可能な弁の部分、取替え可能な採取兼観察チューブの部分から構成された簡易式のフィッシングポンプで解決できる。円錐状の栓１を孔に差し込んで、弁１と弁２の操作紐が緩んだ状態にしておく。魚の胃に採取パイプの先端を差し込み、手でゴム球を圧縮する。手を緩めてゴム球の自然回復力で胃の内容物を吸い上げる。１回の操作では吸い上がりが不十分なので、拡大状態のゴム球を再度圧縮し、再びゴム球を自然回復させて吸引する。観察終了後は、栓１を引き、栓２に差し替えて、ゴム球を圧縮させると内容物が胃に戻る。胃に戻さず容器に採取することもできる。【選択図】  図１
0003122389.tif 000002
【実用新案登録請求の範囲】
【請求項１】
本フィッシングポンプは、ブラックバスなどの魚類の食物調査を目的として、生きた魚の胃の内容物を採取及び観察するための装置である。特許出願中のフィッシングポンプのポンプ部分をゴム球に替えた簡易式フィッシングポンプである。ゴム球の圧縮回復と調節可能な２つの弁を組み合わせたのが特徴である。
【考案の詳細な説明】
【技術分野】
【０００１】  本考案は、ブラックバス等魚類の食物調査を目的として、生きた魚の胃の内容物をフィッシングポンプの採取兼観察スペースに吸引し、観察した後、元の胃に戻すことに関するものである。
【背景技術】
【０００２】  特許出願中のフィッシングポンプの頭の部分をゴム球に替えて、操作を簡単化したものである。２つの調節可能な弁を利用すれば、ゴム球の圧縮と自然回復だけの操作で、吸引と押出が可能となる。また、小型化になり携帯にも便利である。
【考案が解決しようとする課題】
【０００３】  圧縮したポンプ部において、プラスチック素材の自然回復による吸引力は弱いので、弾性の強いゴム素材を使う必要がある。吸引だけでなく、観察終了後内容物を胃に戻さなければならないので、２つの弁を使う必要がある。また、これらの弁はゴム球の圧縮と自然回復を繰返す場合にも有効に働く。採取兼観察スペース内の胃内容物が容易に落ちないようにする必要がある。対象魚の大きさによって、採取兼観察チューブの大きさを変えられるのが好ましい。
【課題を解決するための手段】
ポンプの頭の部分には図１のように直径４０ｍｍ、厚さ３〜５ｍｍの生ゴムの球を取り付ける。ポンプの使用開始時は、図１のように円錐状の栓１を孔に差し込んで、弁１と弁２の操作紐がゆるんだ状態にしておく。ゴム球を圧縮するときは、弁１が自動的に閉まり、弁２が自動的に開く。吸引のときは弁１が自動的に開き、弁２が自動的に閉まる。魚の胃にチューブの先端を差し込み、手でゴム球を圧縮し、弁２から空気を抜く。圧縮した手を緩めて、ゴム球の自然回復力で胃の内容物を吸い上げる。胃の内容物の量により吸い出す量が異なり、１回の操作では吸い上がりが不十分なので、拡大状態のゴム球を再度圧縮し、再び自然回復力で吸引する。この操作を繰返して採取観察スペースに胃の内容物を吸い上げる。観察終了後は、栓１を引き栓２に差し替えて（このとき図２のように弁１が開き、弁２が閉じる）、ゴム球を圧縮させると内容物が胃に戻っていく。１回で戻らない場合は、栓１に替えて弁２を開けてゴム球を拡大状態に戻し、再び栓２に替えて再度内容物を胃へ押し戻す。採取兼観察チューブの先端は図１のように斜めにカットして、先は少し細くして胃に入りやすくしておく。また細くした先端は９０度に湾曲させておき、胃からチューブを抜いたとき内容物が下に落ちないようにする。胃に戻さず、別の容器に採取することもできる。
【考案の効果】
魚が何を食べたかを知ることによって、ルアーの選択や新しいルアーの開発の参考になる。また、その水域に棲んでいる生物の生息状況を知ることができる。
【図面の簡単な説明】
【図１】  １  ゴム球  ２  弁の部分  ３  採取兼観察チューブ（標準）  ４  栓１  ５  栓２  ６  弁１  ７  弁２  ８  チューブ先端部の正面図  ９  採取兼観察チューブ（大）  １０  採取兼観察チューブ（小）
【図２】  ４  栓１  ５  栓２  ６  弁１  ７  弁２
【図１】
0003122389.tif 000003
【図２】
0003122389.tif 000004
【手続補正書】
【提出日】平成17年6月14日(2005.6.14)
【手続補正１】
【補正対象書類名】実用新案登録請求の範囲
【補正対象項目名】全文
【補正方法】変更
【補正の内容】
【実用新案登録請求の範囲】
【請求項１】
本考案は、先に特許出願したフィッシングポンプ（特願２００５−１０６７３６）のヘッドの部分をゴム球（図１の１）に替え、先の発明の弁の部分（図１の２）と組み合わせた簡易式フィッシングポンプである。
【手続補正書】
【提出日】平成17年8月16日(2005.8.16)
【手続補正１】
【補正対象書類名】実用新案登録請求の範囲
【補正対象項目名】全文
【補正方法】変更
【補正の内容】
【実用新案登録請求の範囲】
【請求項１】
本考案は、先に特許出願したフィッシングポンプ（手動式圧縮拡張ポンプ部、２種類の調節弁を備えた弁の部分、採取兼観察スペースの３パーツから構成されている）の手動式圧縮拡張ポンプ部をゴム球（図１の１）に替え、他の部分（図１の２と図１の３）と組み合わせた簡易式フィッシングポンプ。
【手続補正書】
【提出日】平成17年10月27日(2005.10.27)
【手続補正１】
【補正対象書類名】実用新案登録請求の範囲
【補正対象項目名】全文
【補正方法】変更
【補正の内容】
【実用新案登録請求の範囲】
【請求項１】
本考案は、手動式圧縮拡張ポンプ部、２種類の調節弁を備えた弁の部分、採取兼観察スペースの３パーツからなる簡易式フィッシングポンプ。
【手続補正書】
【提出日】平成18年1月18日(2006.1.18)
【手続補正１】
【補正対象書類名】実用新案登録請求の範囲
【補正対象項目名】全文
【補正方法】変更
【補正の内容】
【実用新案登録請求の範囲】
【請求項１】
本考案は、手動式ポンプ部、２種類の弁を備えた部分、採取兼観察スペースの３パーツからなり、ポンプ部の手操作により２種類の弁の開閉を導くと同時に魚の胃袋の内容物を吸い上げたり、採取兼観察スペースで観察した後吐き出したりする簡易式フィッシングポンプ。
(57)【要約】      （修正有）【課題】収納しやすいベビースリングを提供する。【解決手段】一枚の布であるスリング本体２０を有し、該スリング本体の一端に縫着部２２が設けられることにより環状の結合部２１が設けられると共に、他端に自由端２５が設けられ、中段に支持部２３が設けられ、該結合部に二つの固定リング１０が設けられるベビースリングであって、前記結合部２１の付近における支持部２３に開口を有する収納袋が設けられることを特徴とする。【選択図】図１
0003122339.tif 000002
【実用新案登録請求の範囲】
【請求項１】
一枚の布であるスリング本体を有し、該スリング本体の一端に縫着部が設けられることにより環状の結合部が設けられると共に、他端に自由端が設けられ、中段に支持部が設けられ、該結合部に二つの固定リングが設けられるベビースリングであって、
前記結合部の付近における支持部に開口を有する収納袋が設けられることを特徴とするベビースリング。
【請求項２】
前記収納袋は、結合部に向かう開口することを特徴とする請求項１に記載のベビースリング。
【請求項３】
前記支持部の両側に夫々軟性支持材が設けられることを特徴とする請求項１又は２に記載のベビースリング。
【考案の詳細な説明】
【技術分野】
【０００１】
本考案は、特に収納しやすいベビースリングに関するものである。
【背景技術】
【０００２】
生まれたばかりの赤ちゃんや幼児は、まだうまく歩くことができないので、常に大人が面倒を見る必要がある。このような時、赤ちゃんや幼児をラクに面倒するためにベビースリングをよく使用している。 
従来のベビースリングは、一枚の布であるスリング本体を有し、該スリング本体の一端に縫着部が設けられることにより環状の結合部が設けられると共に、他端に自由端が設けられ、該結合部に二つの固定リングが設けられる構造を有する。 
従来のベビースリングを使用する際は、スリング本体を使用者の肩と体を回し、自由端を夫々の固定リングに通すことにより、スリング本体に赤ちゃん又は幼児を放置できる袋のような空間を形成させる。
【考案の開示】
【考案が解決しようとする課題】
【０００３】
しかしながら、前記従来のベビースリングを使用しない時において、この長いスリング本体を完全に収納できる構造を有しないので、非常に不便である。 
そこで、案出されたのが本考案であって、収納しやすいベビースリングを提供することを目的としている。
【課題を解決するための手段】
【０００４】
本願の請求項１の考案は、一枚の布であるスリング本体を有し、該スリング本体の一端に縫着部が設けられることにより環状の結合部が設けられると共に、他端に自由端が設けられ、中段に支持部が設けられ、該結合部に二つの固定リングが設けられるベビースリングであって、
前記結合部の付近における支持部に開口を有する収納袋が設けられることを特徴とするベビースリング、を提供する。 
本願の請求項２の考案は、前記収納袋は、結合部に向かう開口することを特徴とする請求項１に記載のベビースリング、を提供する。 
本願の請求項３の考案は、前記支持部の両側に夫々軟性支持材が設けられることを特徴とする請求項１又は２に記載のベビースリング、を提供する。
【考案の効果】
【０００５】
本考案は上記の課題を解決するものであり、スリング本体の結合部付近における支持部に、開口を有する収納袋が設けられ、ベビースリングを収納する際、スリング本体の自由端と支持部を結合部に向かって折り畳んだ後、該収納袋を裏返しにし、該自由端と支持部を共に収納袋に入ることにより、一般の袋になり、非常に便利である。
【考案を実施するための最良の形態】
【０００６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。 
図１は本考案に係るベビースリングの斜視図であり、図２は本考案に係るベビースリングの使用状態を示す斜視図であり、図３は本考案に係るベビースリングを一般の袋のように収納した状態を示す斜視図であり、図４は図３の断面図である。
【０００７】
図１に示すように、本考案に係るベビースリングは、一枚の布であるスリング本体（２０）を有し、該スリング本体（２０）の一端に縫着部（２２）が設けられることにより環状の結合部（２１）が設けられると共に、他端に自由端（２５）が設けられ、中段に支持部（２３）が設けられ、該結合部（２１）に二つの固定リング（１０）が設けられるベビースリングであって、
前記結合部（２１）の付近における支持部（２３）に、結合部（２１）に向かう開口を有する収納袋（２４）が設けられ、該支持部（２３）の両側に夫々軟性支持材（２６）が設けられる。 
図２に示すように、本考案に係るベビースリングを使用する方式は、従来のベビースリングと同じように、スリング本体（２０）が使用者の肩と体を回し、自由端（２５）が夫々固定リング（１０）を巻きまわすことにより、スリング本体（２０）の支持部（２３）に赤ちゃん又は幼児を放置できる袋のような空間が形成される。又、本考案に係るベビースリングにおける支持部（２３）の両側に軟性支持材（２６）が設けられるので、赤ちゃん又は幼児を支持部（２３）に放置際の安定効果を向上することができる。 
又、図３及び図４に示すように、本考案に係るベビースリングを収納する際、該自由端（２５）と支持部（２３）を結合部（２１）に向かって折り畳んだ後、該収納袋（２４）を裏返しにし、該自由端（２５）と支持部（２３）を共に収納袋（２４）に入ることにより、一般の袋になる。又、ベビースリングが一般の袋になった後、該固定リング（１０）を該一般の袋のハンドルとして使用することができ、非常に便利である。
【産業上の利用可能性】
【０００８】
本考案は上記の構成を有すし、スリング本体の結合部の付近における支持部に、開口を有する収納袋が設けられ、ベビースリングを収納する際、スリング本体の自由端と支持部を結合部に向かって折り畳んだ後、該収納袋を裏返しにし、該自由端と支持部を共に収納袋に入ることにより、一般の袋になり、非常に便利である。
【図面の簡単な説明】
【０００９】
【図１】本考案に係るベビースリングの斜視図である。
【図２】本考案に係るベビースリングの使用状態を示す斜視図である。
【図３】本考案に係るベビースリングを一般の袋のように収納した状態を示す斜視図である。
【図４】図３の断面図である。
【符号の説明】
【００１０】
１０        固定リング
２０        スリング本体
２１        結合部
２２        縫着部
２３        支持部
２４        収納袋
２５        自由端
２６        軟性支持材
【図１】
0003122339.tif 000003
【図２】
0003122339.tif 000004
【図３】
0003122339.tif 000005
【図４】
0003122339.tif 000006
(57)【要約】      （修正有）【課題】ペンフォルダー式卓球をより効率的、短期間にマスターする為のラケットを提供する。【解決手段】親指部に彫り込みを入れる。人差指部に彫り込みを入れる。ラケット側面に水準器を貼り付ける。中指部周辺に刻みを入れる。薬指部周辺に刻みを入れる。【選択図】図１
0003122396.tif 000002
【実用新案登録請求の範囲】
【請求項１】
卓球（ペンフォルダー）のラケットのグリップ部を彫り込んだものを商品化する
（親指、人差指部）
【請求項２】
同上、ラケットの裏面の中指、薬指等のサポート部に安定板を埋め込む
【請求項３】
同上、ラケットの側面に水準器を組み込む
【考案の詳細な説明】
【技術の分野】
【０００１】スポーツ用品加工技術＋経験則
【背景技術】
【０００２】人間工学
【考案の開示】
【考案が解決しようとする課題】
【０００３】卓球を上達する、本来の目的に出来るだけ早く到達させる
【課題を解決するための手段】
【０００４】親指部に掘り込みを商品販売時点から既に入れておく
人差指部に掘り込みを商品販売時点から既に入れておく
人差指、薬指等についても、上記に同様
水準器をラケット側面に埋め込んで商品化しておく
【図１】
0003122396.tif 000003
【図２】
0003122396.tif 000004
【手続補正書】
【提出日】平成17年11月9日(2005.11.9)
【手続補正１】
【補正対象書類名】実用新案登録請求の範囲
【補正対象項目名】全文
【補正方法】変更
【補正の内容】
【実用新案登録請求の範囲】
【請求項１】
ペンフォルダー式卓球ラケットのグリップ部を彫り込んだものを商品化する
【請求項２】
ペンフォルダー式卓球ラケットの裏面の中指、薬指周辺のサポート部に刻みを入れる
【請求項３】
ペンフォルダー式卓球ラケットの側面に水準器を貼り付ける
【手続補正２】
【補正対象書類名】明細書
【補正対象項目名】全文
【補正方法】変更
【補正の内容】
【考案の詳細な説明】
【技術分野】
【０００１】スポーツ用品加工技術＋経験則
【背景技術】
【０００２】人間工学
【考案の開示】
【考案が解決しようとする課題】
【０００３】卓球を上達する、本来の目的に出来るだけ早く到達させる
【課題を解決するための手段】
【０００４】親指部に彫り込みを入れる
人差指部に彫り込みを入れる
薬指部周辺に刻みを入れる
中指部周辺に刻みを入れる
水準器をラケット側面に貼り付ける
【図面の簡単な説明】
【０００５】
【手続補正書】
【提出日】平成18年3月6日(2006.3.6)
【手続補正１】
【補正対象書類名】実用新案登録請求の範囲
【補正対象項目名】全文
【補正方法】変更
【補正の内容】
【実用新案登録請求の範囲】
【請求項１】
構えた時に、フォームが不安定にならない様に、親指と人差し階のグリップ部を彫り込んだ、卓球のラケット
【請求項２】
グリップが不安定にならない様に、裏面の中指、薬指のサポート部に滑り止め用刻みを入れた、請求項１記載の、卓球のラケット
【請求項３】
フォームのバラツキを自分の目で、認識、修正、確認を行い短期間で上達する為水準器を貼り付けた、請求項１、２記載の卓球のラケット
【手続補正２】
【補正対象書類名】明細書
【補正対象項目名】０００５
【補正方法】変更
【補正の内容】
【０００５】
【図１】親指、人差し指のグリップ部の彫り込みを示す  フォームのバラツキを自分で修正し、短期間で上達出来る様に  貼り付けた水準器を示す
【図２】中指、薬指のサポートを安定させる為の滑り止め用の刻みを示す
(57)【要約】      （修正有）【課題】ミルク、シロップ付コーヒーのミルクシロップを入れる際のこぼしたりする失敗を解消するために、パッケージ部にミルク、シロップを取付けたものを提供する。【解決手段】パッケージ部１にミルク２，３、シロップ４、５を付けた事によって、ストローを差すだけで注入できるようにする。【選択図】図１
0003122399.tif 000002
【実用新案登録請求の範囲】
【請求項１】
ストローを使いパッケージ部のミルク、シロップを保存している部分に穴を開け、コーヒーと混ぜる考案
【考案の詳細な説明】
【技術分野】
【０００１】本考案は、ミルク、シロップ付コーヒーカップの飲む時のわずらわしさを解決するために、パッケージの内側にミルク、シロップを装着し容易に注入出来るようにしたものである。
【背景技術】
【０００２】従来はミルク、シロップ付コーヒーパックのパッケージ部内側にミルク、シロップを内蔵しているものはなかった。
【考案の開示】
【考案が解決しようとする課題】
【０００３】ミルク、シロップ付コーヒーに、ミルク、シロップを注入する際に誤ってこぼしてしまうことや、ゴミがかさばるという問題点があった。
【課題を解決するための手段】
【０００４】コーヒーにミルクなどを注入する時に、こぼしたりすることの無いように、パッケージ部１にミルク、シロップ２、３、４、５を取り付けた。
【考案の効果】
【０００５】パッケージ部１のミルク、シロップ部分２〜５の上から備え付けのストローを差し入れるだけでミルク、シロップを注入でき、フタを開けると、いった、手間を省く事ができる。
【図面の簡単な説明】
【０００６】
【図１】パッケージされたコーヒーカップを立てた断面図です。
【図２】パッケージされたカップを真上から見た図です。
【図３】パッケージされたカップにフタを付けて中央部にストローをさした図です。
【符号の説明】
【０００７】１．パッケージ部
２、３、４、５、ミルク、シロップ取り付け部
６  カップ部
【図１】
0003122399.tif 000003
【図２】
0003122399.tif 000004
【図３】
0003122399.tif 000005
【手続補正書】
【提出日】平成18年3月3日(2006.3.3)
【手続補正１】
【補正対象書類名】実用新案登録請求の範囲
【補正対象項目名】全文
【補正方法】変更
【補正の内容】
【実用新案登録請求の範囲】
【請求項１】
透明なプラスチックドリンクカップのパッケージ部に薄いビニールに包まれたミルク、シロップを内蔵したカップ
【手続補正３】
【補正対象書類名】明細書
【補正対象項目名】０００４
【補正方法】変更
【補正の内容】
【０００４】カップ内のコーヒーにミルクシロップを注入する際にこぼしたりすることのないようにパッケージ部図１の１に薄いビニールに包まれたミルク、シロップ、２．３．４．５を取り付けた。
【手続補正４】
【補正対象書類名】明細書
【補正対象項目名】０００７
【補正方法】変更
【補正の内容】
【０００７】１．パッケージ部
２．３．４．５．ミルク．シロップ取付け部
６．プラスチックカップ
７．突起部
【手続補正５】
【補正対象書類名】図面
【補正対象項目名】図１
【補正方法】変更
【補正の内容】
【図１】
0003122399.tif 000006
(57)【要約】      （修正有）【課題】粉ミルクのスプーン１杯分を一個の固形にし、個別パッケージにして湿気の影響を受けずに携帯させ、それを直接哺乳瓶にうつせる。【解決手段】粉ミルクのスプーン１杯が一個の固形になっていれば計量の手間が省ける。計量時の粉ミルクの飛散という煩わしさがない。必要分を取り出せることにより授乳時の乳児の体調に合わせて必要量を作れるので粉ミルクを無駄にすることがない。個別包装になっており、直接哺乳瓶にうつせるので外出先でも衛生的にミルクを作れる。【選択図】図１
0003122391.tif 000002
【実用新案登録請求の範囲】
【請求項１】
（１）粉ミルクのスプーン１杯分を一個の固形にし、個別パッケージにして湿気の影響を受けずに携帯させ、それを直接哺乳瓶にうつせるようにした。
【考案の詳細な説明】
【技術分野】
【０００１】本考案は粉ミルクの飛散を防ぎ、衛生的に携帯し適量のミルクを作るための方法に関する。
【背景技術】
【０００２】携帯式定量機能つき粉ミルク箱など
【考案の開示】
【考案が解決しようとする課題】
【０００３】従来、携帯式定量機能つき粉ミルク箱などは存在していたが、計量時に粉ミルクが飛散するという問題点を有していた。この種の箱は外出前などに計量し携帯するので授乳時間の乳児の体調などに合わせての微調整が不可能という問題点も有していた。また市販の粉ミルク一包は出来上がり量が１００ＣＣなのでそれ以上（二包未満）を飲ませる時には二包（出来上がり量２００ＣＣ）を使うので粉ミルクを無駄にしてしまう問題点も有していた。
【課題を解決するための手段】上記目的を達成するために、粉ミルクのスプーン１杯分を一個の固形にし、個別パッケージにして湿気の影響を受けずに携帯させ、それを直接哺乳瓶にうつせるようにした。
【考案の効果】粉ミルクのスプーン１杯が一個の固形になっていれば計量の手間が省ける。
計量時の粉ミルクの飛散という煩わしさがない。
必要分を取り出せることにより授乳時の乳児の体調に合わせて必要量を作れるので粉ミルクを無駄にすることがない。
個別包装になっており、直接哺乳瓶にうつせるので外出先でも衛生的にミルクを作れる。
【考案を実施するための最良の形態】粉ミルクのスプーン１杯を一個の固形にする。その際、直接哺乳瓶に投入可能にするために、固形にした際の直径は哺乳瓶の口径よりも小さいものとする。
携帯時に使いやすいよう固形物を横に２個、縦に５個のパウチにする。
一つのパウチに合計１０個の固形ミルクになるよう配列すれば出来上がり量が１００ＣＣになる。
使用済み分のパウチは切り離せるようにする。
【実施例】処方箋で出されるカプセルや錠剤のパウチの要領である。
フリーズドライのたまごスープのようにお湯を加えたときに溶けやすく圧縮されている。
【産業上の利用可能性】
【図面の簡単な説明】
【図１】個別パッケージ固体粉ミルクパウチを示した正面図である。
【図２】個別パッケージ固体粉ミルクパウチを示した平面図である。
【符号の説明】
１  固体に圧縮された粉ミルク
２  切り離し可能パウチ
【図１】
0003122391.tif 000003
【図２】
0003122391.tif 000004
【手続補正書】
【提出日】平成17年7月25日(2005.7.25)
【手続補正１】
【補正対象書類名】実用新案登録請求の範囲
【補正対象項目名】全文
【補正方法】変更
【補正の内容】
【実用新案登録請求の範囲】
【請求項１】
粉ミルクのスプーン１杯分を一個の固形にし、個別パッケージにして湿気の影響を受けずに携帯させ、それを直接哺乳瓶にうつせるように角砂糖の形状を有するようにした。
【手続補正２】
【補正対象書類名】図面
【補正対象項目名】全図
【補正方法】変更
【補正の内容】
【図１】
0003122391.tif 000005
【図２】
0003122391.tif 000006
【手続補正書】
【提出日】平成17年11月25日(2005.11.25)
【手続補正１】
【補正対象書類名】実用新案登録請求の範囲
【補正対象項目名】全文
【補正方法】変更
【補正の内容】
【実用新案登録請求の範囲】
【請求項１】
粉ミルクのスプーン１杯分を一個の固形にし、個別パッケージにして湿気の影響を受けずに携帯させ、それを直接哺乳瓶にうつせるように角砂糖の形状を有するようにした個別パッケージ固体粉ミルク。
0003122391.tif 000007
0003122391.tif 000008
0003122391.tif 000009
0003122391.tif 000010
0003122391.tif 000011
(57)【要約】【課題】カーボンアイアンにおいて、フェース面の構造を最適化し、大きな飛距離と柔らかい打球感など、カーボンアイアン本来の優れた性能を損なうことなく、フェース面の摩耗や破損を防止できるアイアンゴルフクラブを提供する。【解決手段】金属からなるフェース面１３の後方に一体成型されたカーボン強化繊維樹脂２０が配置されたヘッド１を備え、前記フェース面１３は、０．６ｍｍ〜１．２ｍｍの厚さｔに形成されているアイアンゴルフクラブとした。【選択図】図２
0003122942.tif 000002
【実用新案登録請求の範囲】
【請求項１】
金属からなるフェース面の後方に一体成型されたカーボン強化繊維樹脂が配置されたヘッドを備え、前記フェース面は、０．６ｍｍ〜１．２ｍｍの厚さに形成されていることを特徴とするアイアンゴルフクラブ。
【考案の詳細な説明】
【技術分野】
【０００１】
この考案はアイアンゴルフクラブに関し、具体的には、金属からなるフェース面の後方に一体成型されたカーボン強化繊維樹脂が配置されたヘッドを備えたアイアンゴルフクラブに関する。
【背景技術】
【０００２】
ヘッドがカーボン強化繊維で形成されたアイアンゴルフクラブ（カーボンアイアン）は、軽量で高反発特性を備え、従来の金属で形成されたアイアンクラブに比べ、飛距離向上が期待できる。また、打球時の衝撃が少なく、柔らかい打球感が得られる。
【考案の開示】
【考案が解決しようとする課題】
【０００３】
しかしながら、カーボンアイアンは、フェース面に砂などが付着した状態のまま打球をし続けると、フェース面が摩耗し、スピンが掛かりにくくなる。また、打球時に付着した砂などがフェース面を傷付け、最悪の場合、フェース面を破損させる可能性もある。
【０００４】
そこで、カーボンアイアンのフェース面を金属にすることが考えられる。しかし、打球面であるフェース面に単純に金属を使用したとしても、大きな飛距離や柔らかい打球感など、カーボンアイアン本来の優れた特性が阻害される可能性がある。したがって、カーボンアイアンのフェース面を金属にした場合、カーボン強化繊維の特性を十分に発揮できるように、その構造を詳細に検討する必要がある。
【０００５】
本考案者らは、カーボンアイアンのフェース面に金属を適用するのに当たり、その厚さを調整することで、カーボンアイアン本来の特性を損なうことなくフェース面の摩耗や破損を防止しようと試みた。そして、試行錯誤の上、最適な厚さを知見した。本考案はその知見に基づきなされもので、その目的は、カーボン強化繊維樹脂が備える優れた特性を損なうことなく、フェース面の摩耗や破損を防止できるアイアンゴルフクラブを提供することにある。
【課題を解決するための手段】
【０００６】
上記目的を達成するための本考案は、金属からなるフェース面の後方に一体成型されたカーボン強化繊維樹脂が配置されたヘッドを備え、前記フェース面は、０．６ｍｍ〜１．２ｍｍの厚さに形成されているアイアンゴルフクラブとした。
【考案の効果】
【０００７】
本考案のアイアンゴルフクラブによれば、カーボン強化繊維における従来の特性を損なうことなく、フェース面に砂などの異物が付着した状態で使用しても摩耗しにくく、スピン性能が劣化することがない。また、異物による傷が付きにくく破損などを起こす可能性を極めて低くすることができる。
【考案を実施するための最良の形態】
【０００８】
図１に、本考案の実施例におけるアイアンゴルフクラブの外観図を示した。この図では５番アイアンのヘッドを示した。（Ａ）はヘッドをフェース面から見たときの平面図であり、（Ｂ）（Ｃ）はそれぞれ、ヘッドを背面、およびソール面のそれぞれから見たときの平面図である。また、図２に図１におけるａ−ａ’断面図を示した。この断面図では、ヘッドをトゥー方向から見ている。
【０００９】
ヘッド１は、シャフトが挿入されるボーゼル１１と溝１２が画設されたフェース面１３とを含んでヘッド１の外周を構成するヘッド本体部１０と、フェース面１３の後方に配置される積層体２０とから構成される。ヘッド本体部１０は、チタンなどの金属からなり、ヘッド背面に凹部１４を備え、ヘッド１の外周に沿ってボーゼル部１１、上端部１５、トゥー部１６、ソール部１７を経てボーゼル部１１に連続して周回するように一体成型されて、ヘッド背面から見たフェース面１３を底とした凹状金属枠体となっている。そして、一体成型されたカーボン強化繊維樹脂からなる積層体２０が枠体の凹部１４に挿入されている。また、ヘッド本体部１において、外部に露出する面で、フェース面１３とソール部１７を除く部分には、カーボン強化繊維樹脂による被膜３０が施されている。
【００１０】
ヘッド本体部１の一部をなすフェース面１３の構造は、本考案の特徴であり、フェース面１３の厚さを最適化している。図３にフェース面１３の一部断面図を示した。本考案では、厚さｔを０．６〜１．２ｍｍに調整することとしている。そして、本実施例のゴルフクラブは、この厚さｔに調整されたフェース面１３とそのフェース面１３の後方に配置されたカーボン強化繊維樹脂の積層体２０とを備えたヘッド構造により、飛距離の向上や柔らかい打球感といったカーボン強化繊維樹脂に由来する特性を損なうことなく、フェース面１３の摩耗や破損を防止している。本実施例では、溝１２の幅と深さは、それぞれ約０．８ｍｍと０．５ｍｍであり、溝１２の断面形状は、ヘッド背面１４に向かって幅が狭くなるＶ字状となっている。
【図面の簡単な説明】
【００１１】
【図１】本考案の実施例におけるアイアンゴルフクラブのヘッドの外観図である。
【図２】上記ヘッドの断面図である。
【図３】上記ヘッドのフェース面の一部断面図である。
【符号の説明】
【００１２】
１  ヘッド
１０  ヘッド本体部
１３  フェース面
２０  積層体
【図１】
0003122942.tif 000003
【図２】
0003122942.tif 000004
【図３】
0003122942.tif 000005
(57)【要約】【課題】割箸の手元部分は直接手に触れるので、印刷インク等がにじまない物にする。【解決手段】既存の塗り箸では、その塗料は落ちることが無かったのでその技術の延長線の塗料を使用し弊害をなくしたい。【選択図】図１
0003122990.tif 000002
【実用新案登録請求の範囲】
【請求項１】
従来の割箸の手元の部分に、企業名称及び商品名を印刷又は焼印等の加工して、宣伝広告の媒体とする割箸である。
デザインについては、広告等の発注先の要望によって決定する。
【考案の詳細な説明】
【技術部分】
【０００１】割箸の手元部分は狭い面積であるので、有効に活用したい。
【背景技術】
【０００２】消耗品である割箸に広告宣伝媒介品としての付加価値をつけた。
【考案の開示】
【考案が解決しようとする課題】
【０００３】食生活に必要不可欠なものでありながら、単なる消耗品の割り箸を広告宣伝の媒介として商品に活用することは、商品及び企業の新たな広告宣伝戦略に貢献することになる。
【図１】
0003122990.tif 000003
【図２】
0003122990.tif 000004
【手続補正書】
【提出日】平成16年8月16日(2004.8.16)
【手続補正１】
【補正対象書類名】実用新案登録請求の範囲
【補正対象項目名】全文
【補正方法】変更
【補正の内容】
【実用新案登録請求の範囲】
【請求項１】
割箸の手元の部分に企業名称及び商品名を印刷又は焼印等の加工する加工部分を設けた割箸である。
【手続補正２】
【補正対象書類名】明細書
【補正対象項目名】全文
【補正方法】変更
【補正の内容】
【考案の詳細な説明】
【技術部分】
【０００１】割箸の手元部分は狭い面積であるので有効に活用したい。
【背景技術】
【０００２】消耗品である割箸に広告宣伝媒介品としての付加価値をつけた。
【考案の開示】
【考案が解決しようとする課題】
【０００３】食生活に必要不可欠なものでありながら単なる消耗品の割り箸を広告宣伝の媒介として商品に活用することは、
商品及び企業の新たな広告宣伝戦略に貢献することになる。
【図面の簡単な説明】
【０００４】
【図１】商品名を明示した図
【図２】企業名称を明示した図
(57)【要約】【課題】安全に使用させる。【解決手段】圧縮気体を容器体１に封入して爆裂体２と成し、該爆裂体２を筒体３内に収納して、これを破裂させ、その爆風によって、筒体３内に収納した、紙、布、プラスチックフィルム等から成る微小薄片11、11ａ…を吹き飛ばす。【選択図】図１
0003122972.tif 000002
【実用新案登録請求の範囲】
【請求項１】
筒体内の一端側に、容器体に圧縮気体を封入して成した爆裂体と、該爆裂体を破裂させる起爆手段とを収納し、該起爆手段の操作端末部を筒体外に具備させ、筒体内の爆裂体と筒体他端の間に紙、布、プラスチックフィルム等から成る微小薄片を収納したことを特徴とする微小薄片散布器。
【考案の詳細な説明】
【技術分野】
【０００１】
本考案は、パーティーなど催事の席にて用いる微小薄片散布器に関する。
【背景技術】
【０００２】
従来より、パーティーなど催事の席では、場の雰囲気を盛り上げるために、しばしばクラッカーが使用されている。
クラッカーとは、円錐形の紙筒の中に様々に着色した紙片や紙テープを収納して成り、尖端に設けられた紐を強く引くと、紙筒内に備えた炸薬が爆裂して、爆音と共に紙片や紙テープを撒き散らす様にしたおもちゃである。
【考案の開示】
【考案が解決しようとする課題】
【０００３】
ところが、炸薬爆裂時に大音響が響き、場の雰囲気を盛り上げるどころか、かえって興ざめを招くこともあり、また火薬臭が漂うことから、食事の席には不適である等問題があった。
【課題を解決するための手段】
【０００４】
本考案は、上記課題に鑑み、圧縮気体を容器体に封入して爆裂体と成し、該爆裂体を筒体内に収納し、これを破裂させ、その爆風によって、微小薄片を吹き飛ばす様にして、上記課題を解決する。
【考案の効果】
【０００５】
要するに本考案は、筒体内の一端側に、容器体に圧縮気体を封入して成した爆裂体と、該爆裂体を破裂させる起爆手段とを収納し、筒体内の爆裂体と筒体他端の間に紙、布、プラスチックフィルム等から成る微小薄片を収納したので、爆風によって、微小薄片を吹き飛ばすことが出来、例え起爆手段に火薬を使用しても、あくまでも爆裂体の破裂用であるため、少量で良く、従前のクラッカー程大きな音を発生せず、微小薄片の射出は圧縮気体の膨張を利用するため、爆音や火薬臭を最小限度に抑えて、不快感の誘発を防止することが出来、食事の席とか、小さな子供や老人が同席する場であっても、安心して安全に使用させることが出来る。
【０００６】
又、起爆手段の操作端末部を筒体外に具備させたので、遠隔操作が可能となり、より安全に操作出来るばかりか、例えば、多数本の本考案品を一度に起爆準備し、適宜タイミングで順次起爆させれば、より華やいだ雰囲気を演出することも出来る。
更には、起爆操作を手動の他、コンピューターを用いて適宜プログラムにより、制御させることも出来る等その実用的効果甚だ大である。
【考案を実施するための最良の形態】
【０００７】
本考案の微小薄片散布器は、パーティーなど催事の席にて、場の雰囲気を盛り上げるために、紙、布、プラスチックフィルム等から成る微小薄片を散布するものである。
微小薄片の形は、適宜であり、例えば花弁を模した形状にしても良いし、星形や月形にしても良い。
以下、本考案の実施例を図面に基づき詳述する。
【実施例１】
【０００８】
実施例１の微小薄片散布器は、図１に示す様に、容器体１に圧縮気体を封入して爆裂体２を形成し、該爆裂体２を筒体３の内部一端側（図面上では下端側）に収納している。
容器体１の上端側は薄膜４によって封止されており、爆裂体２の上端側を破裂させる起爆手段５として、薄膜４の上に少量の火薬６と電気火花による点火手段７を収納し、該点火手段７のリード線８を筒体３の外に導き、該リード線８を点火手段７の操作端末部９に接続している。
火薬６の上には薄板10が載置され、該薄板10上であって爆裂体２と筒体３の他端（図面上では上端）の間に微小薄片11、11ａ…を収納し、筒体３の上端開口部に蓋体12を被着している。
因みに、爆裂体２を形成するには、例えば容器体１に適量の液体窒素や固体炭酸を投入し、その後直ちに封止し、容器体１の内部で液体窒素や固体炭酸を気化させ、圧縮気体とすれば良い。
【０００９】
実施例１の微小薄片散布器によれば、火薬６は少量であるが、圧縮気体の開放で強烈な爆風が発生するため、充分な量の微小薄片11、11ａ…が勢い良く射出される。
尚、蓋体12は爆風によって微小薄片11、11ａ…と共に、吹き飛ばされる。
又、コンピューターを用いて適宜プログラムにより、制御させれば、多数の微小薄片散布器を思い通りのタイミングで操ることが可能である。
【実施例２】
【００１０】
実施例２の微小薄片散布器は、爆裂体を用いる点において実施例１のものと同じであるが、起爆手段５に火薬を不要としたものである。
図２〜４に示す様に、この微小薄片散布器では、圧縮気体を封入した容器体１の上端側はゴム栓13によって密閉され、また圧縮気体による内圧にてゴム栓13が押し出されて、圧縮気体が開放され得る程度に封止されており、この爆裂体２を筒体３の内部下端側に収納し、ゴム栓13の上部を筒体３の内部に設けた内蓋14で押圧して、ゴム栓13を押し留める様にしている。
内蓋14は、その一端をヒンジ15を介して筒体３に連結され、他端をナイロン線16にて、筒体３内部に設けた電熱体17に締結し、該電熱体17に通電して発熱させるリード線８を筒体３の外に導き、該リード線８を電熱体17の操作端末部９に接続している。
【００１１】
そして、使用時には電熱体17を発熱させることで、ナイロン線16を焼き切る。
すると、押さえを失ったゴム栓13は爆裂体２の内圧によって押し上げられ、図４に示す様に、内蓋14を撥ね上げつつ飛び出し、圧縮気体が開放され、爆風が発生して、筒体３の上端側内部に収納した微小薄片11、11ａ…を吹き飛ばす。
この様に、起爆手段５を内蓋14、ナイロン線16、及び電熱体17にて構成して、火薬を不要としている。
【００１２】
以上、実施例１及び２では、持ち運びの際、微小薄片11、11ａ…が筒体３から漏出するのを防ぐために、筒体３の上端に蓋体12を設けているが、蓋体12は必ずしも必要ではなく、また蓋体12に替えて、ビニールフィルム等の破断容易な薄膜にて、筒体３の開口部を閉塞する様にしても良い。
【図面の簡単な説明】
【００１３】
【図１】実施例１の微小薄片散布器の概略縦断面図である。
【図２】実施例２の微小薄片散布器の概略縦断面図である。
【図３】図２の要部拡大図である。
【図４】実施例２の微小薄片散布器の微小薄片射出後の要部拡大図である。
【符号の説明】
【００１４】
１          容器体
２          爆裂体
３          筒体
５          起爆手段
９          操作端末部
11、11ａ…  微小薄片
【図１】
0003122972.tif 000003
【図２】
0003122972.tif 000004
【図３】
0003122972.tif 000005
【図４】
0003122972.tif 000006
(57)【要約】      （修正有）【課題】均一な芝生地の形成に時間がかからない孔空き芝生を提供する。【解決手段】切取り芝生に一定間隔で孔を穿ち、孔空き状の切取り芝生にする。田圃にて生育し地表面を被覆した芝生に対し、１０cm程度以上の間隔をあけて孔径１．５cm程度以上で且つ切り取る芝生の厚さだけの深さで孔を穿ち、その後に芝生を任意の寸法で切り取る。孔の間隔、配置、大きさ、形状は、任意に選ぶことができる。また、芝ソッドの中央付近は、孔の間隔、大きさを変えることもできる。【選択図】図１
0003122937.tif 000002
【実用新案登録請求の範囲】
【請求項１】
田圃にて生育し地表面を被覆した芝生に間隔を開けて孔を穿ち、平板状または長尺平板状またはロール巻状の形状に芝生を剥ぎ取り、芝生の植栽に用いる切り取り芝生の形状。
【考案の詳細な説明】
【技術分野】
【０００１】
本考案は、芝生の植栽施工において、施工不良を低減させ且つ芝生の根付きと生育を速める、一般に芝ソッドと呼ばれる切り取り芝生の形状に関するものである。  
【背景技術】
【０００２】
従来の芝生の植栽施工では、田圃にて芝生を育成し、適当な寸法に芝生を切り取り、芝ソッドとして、植栽現場に輸送して、植栽地に敷き並べ、その上から目土をかけて芝生と芝生の間の空隙を埋めて行う方法が一般的である。また、施工性を高めるため、より大きな寸法で芝生を切り取り、植栽地に敷き並べることがよくなされている。
【考案の開示】
【考案が解決しようとする課題】
【０００３】
しかし、大きな寸法で切り取られた芝生を敷き並べる場合に、植栽地表面に凹凸や土の粗密ばらつきがあると、芝生と植栽地表面との間に空隙が残ることがあり、目土は芝ソッドの周縁部近辺しか充填されず、芝ソッドの土壌面との空隙部を目土で埋めて空隙部を充填する頃ができず、その部分では芝生の根付きができず、芝生の枯死や生育の遅れを生じることがある。
【０００４】
また、輸送、保管中も重ねられた或いはロール状に巻かれた芝ソッドの内部では、空気や水蒸気の出入りが阻害され、蒸れによる芝ソッドの品質低下を生じる。
【０００５】
また、芝生は切り取られた縁から新しい茎と根が出来る性質があり、植栽された芝生は縁部分で早く根付き生育が進むが、芝生面の中央部分では縁部分に比べ遅れて根付き及び生育してしまうことがあり、生育に斑ができ、均一な芝生地の形成に時間がかかってしまう。
【課題を解決するための手段】
【０００６】
本考案では、植栽する芝ソッドに一定間隔で厚み方向に貫通孔を穿ち、孔空き状の芝ソッドにすることとした。
【考案の効果】
【０００７】
本考案によると、芝ソッドに間隔を空けて空けられた孔から、敷き並べられた芝ソッドと植栽地土壌表面との間にできる空隙に目土が充填しやすくなることで空隙を減らし、且つ、貫通孔より水と空気の供給が容易となり、根付きやすくし枯死又は生育の遅れを低減させ、且つ、芝生面の中央部分に空けられた孔の円周は新しい茎と根が出来やすい状態になり、根付き及び生育を早めることができ、均一な芝生地の形成までの時間を短縮する。
【考案を実施するための最良の形態】
【０００８】
田圃にて生育し地表面を被覆した芝生に対し、10cm程度以上の間隔をあけて孔径1.5cm程度以上で且つ切り取る芝生の厚さだけの深さで孔を穿ち、その後に芝生を任意の寸法で切り取る。孔の間隔、配置、大きさ、形状は、任意に選ぶことができる。また、芝ソッドの中央付近は、孔の間隔、大きさを変えることもできる。
【実施例】
【０００９】
田圃にて生育し地表面を被覆した芝生に対し、ローンエアレーターを用いて間隔21cm、ピッチ20cm、タイン口径1.9cm、深さ3cmでコアリングを行い、その後、幅37cm、長さ90cmないし135cm、厚さ3cmでソッドカッターにて芝生を切り取り、切り取った芝生を積み重ねないしロール状に結束する。
【図面の簡単な説明】
【００１０】
【図１】本考案の形状の斜視図である。
【図２】本考案を凹凸のある地面に施工した場合の断面図である。
【符号の説明】
【００１１】
１芝生
２孔
３地面
４目土
５空隙
【図１】
0003122937.tif 000003
【図２】
0003122937.tif 000004
(57)【要約】      （修正有）【課題】乳児や要介護者の食事の時、胸元にこぼれる水分を吸収させて、快適に食事ができるようにし、また母親や介護者の余分な負担を軽くする。【解決手段】ネックシートの中に高吸収性樹脂を入れて、吸収をよくする。また首の根元に立ち上がりをつけたり、後部の両面テープを長くして調節できるようにし、水分が首から浸透して衣服や寝具がぬれないようにする。【選択図】図２
0003122991.tif 000002
【実用新案登録請求の範囲】
【請求項１】
高吸収性樹脂を使用し、こぼれる水分を十分に吸収するネックシート
【請求項２】
襟元を立ち上げ、衣服が濡れるのを防ぐネックシート
【請求項３】
後部の長めの両面テープで調節し、衣服が濡れないようにしたネックシート
【考案の詳細な説明】
【考案の詳細な説明】
【考案が解決しようとする課題】
【０００１】授乳時・幼児の食事時・病人や老人の食事時に、エプロンやタオルを使用するが、こぼれる水分量が少し多いと、エプロンやタオルは目的をなさず、結果的には着替えをしたり横になって食事をしている場合には、シーツの交換となる場合が多い。胸元が濡れるとまず本人が不快であり、またお世話をする人の負担が余分に大きくなる。それらの不快と負担を取り除く。
【課題を解決するための手段】
【０００２】ネックシートの表と裏の間に高吸収性樹脂をいれ、表面からこぼれた水分の浸透を防ぐ。
襟元を少し立ち上げることで、こぼれた水分が首から衣服に浸透するのを防ぐ。
後部は長い両面テープを使い、首とネックシートの間に隙間を無くし、こぼれた水分が首から衣服に浸透するのを防ぐ。
【考案の効果】
【０００３】食事のお世話を受けている乳幼児・病人・老人の胸元が濡れることなく、気持ちよく食事ができる。
お世話をしている母親や家族の方、施設で介護をされている方の負担が大変軽くなる。
【図面の簡単な説明】
【図１】考案ネックシートの断面図である
【図２】考案ネックシートの正面図である。
【図３】考案ネックシートの後面図である。
【符号の説明】
１  ネックシートの表面
２  ネックシートの中面  高吸収性樹脂
３  ネックシートの裏面
４  ネックシートの立ち上がり部分
５  ネックシート後部の両面テープ
【図１】
0003122991.tif 000003
【図２】
0003122991.tif 000004
【図３】
0003122991.tif 000005
【手続補正書】
【提出日】平成17年8月1日(2005.8.1)
【手続補正１】
【補正対象書類名】実用新案登録請求の範囲
【補正対象項目名】全文
【補正方法】変更
【補正の内容】
【実用新案登録請求の範囲】
【請求項１】
・  高吸収性樹脂を使用したエプロンにより、衣服寝具等がぬれるのを防ぐネックシート
・  襟元の立ち上げを特徴とする請求項１記載のネックシート
・  襟元の微調節をするための、後部長めのテープを特徴とする請求項１記載のネツクシート
【手続補正書】
【提出日】平成17年11月30日(2005.11.30)
【手続補正１】
【補正対象書類名】実用新案登録請求の範囲
【補正対象項目名】全文
【補正方法】変更
【補正の内容】
【実用新案登録請求の範囲】
【請求項１】
高吸収性樹脂を使用したエプロンにより、衣服寝具等がぬれるのを防ぐネックシ−ト
【請求項２】
襟元の立ち上げを特徴とする請求項１記載のネックシ−ト
【請求項３】
襟元の微調節をするための、後部長めの両面接着テ−プを特徴とする請求項１記載のネツクシ−ト
(57)【要約】【課題】高温度で煮炊きされた食材を丼（食器）に投入することで、丼（食器）が高温度になり、素手で取り扱うことに危険性があり、危険防止を課題とし提供するものである。【解決手段】丼（食器）の上部から丼運び具を被せて、丼横面斜設にロート、アーム複数を引き掛けることで解決手段とし提供する。【選択図】図１
0003123000.tif 000002
【実用新案登録請求の範囲】
【請求項１】
丼運び具は丼横面斜設に、ロート、アーム複数を引掛けることを特徴とする丼運び具。
【請求項２】
ロート、アーム＜字形成を特徴とする、請求項１の丼運び具。
【考案の詳細な説明】
【技術分野】
【０００１】本考案は丼（食器）取り運び具に関する。
【背景技術】
【０００２】先行調査で、特許公開２００２−１１２９０４が有る。
【考案の開示】
【考案が解決しようとする課題】
【０００３】しかしながら、特許公開２００２−１１２９０４では衛生的なラーメン丼等食器の運び具の提供を課題としているが、本考案は高温度で煮炊きされた食材を、丼（食器）に投入することで、丼（食器）が高温度になり素手での取り扱うことに危険性があり、欠点がある。リングにラーメン等食器を乗せて移動することで、安全性にも欠点がある。
【課題を解決するための手段】
【０００４】本考案は丼（食器）の上部から３本のロート、アームで、２本のロート、アーム上部先端部を固定し取手を設ける。１本のロート、アームは上下開閉、丼（食器）の脱着が出来る。丼（食器）の引き掛け押し付けは、スプリングにより機能して、丼（食器）を持ち上げる構造により解決手段とした。
【考案を実施するための最良の形態】
【０００５】図１に示すように、丼（食器）の上部よりロート、アームの下部先端部を＜の字形成と、アーム部に滑り止めゴムを設ける。ロート、アームは連結されている。【０００６】（２）の上部ロート、アームの２本は上部先端部を固定される。【０００７】（７）のレバーを押すことで、ロート、アームが上下に開閉される。丼（食器）を脱着、締め付けは（５）のスプリングで役目をする。【０００８】丼運び具は、丼（食器）の上部から被せて、丼（食器）の横面斜設にロート、アーム＜字形成爪の部分で引き掛け、（５）のスプリングで押さえて持ち上げる形態である。
【考案の効果】
【０００９】本考案は高温度になる丼（食器）を素手で取り扱うことがないから危険が防止できる。また、衛生的にも効果がある。
【図面の簡単な説明】
【００１０】
【図１】    本考案に係る丼運び具の側面の工程図である。
【符号の説明】
【００１１】１    丼（食器）
２    ロートとアームは連結
３    アームの部分は＜字形成  物品を引き掛ける爪、物品を掴む手
４    取  手
５    スプリング
６    ボルト、リベット（上下に動くための心棒）
７    ロート、アームを動かすレバー、取手
【図１】
0003123000.tif 000003
【手続補正書】
【提出日】平成18年3月15日(2006.3.15)
【手続補正１】
【補正対象書類名】実用新案登録請求の範囲
【補正対象項目名】全文
【補正方法】変更
【補正の内容】
【実用新案登録請求の範囲】
【請求項１】
丼運び具はロート・アームを曲成にして、複数で横面底面に引掛けることを特徴とする丼運び具。
(57)【要約】【課題】ソフトバレ−ボ−ル球に空気を入れ過ぎた場合、空気を抜く専用の針はなく、市販の空気針では、弁への針の抜差しは指先が痛くなるほど硬く、サイズを合わせるのは困難であったが、容易にサイズ合わせができるようにする。【解決手段】針の抜差しが容易な空気を抜く専用の空気抜針を製作した。また、抜く空気量を指先で制御できるようにした。その他、バレ−ボ−ル球、バスケットボ−ル球等の空気圧を下げる場合にも使用できる。【選択図】  図２
0003122994.tif 000002
【実用新案登録請求の範囲】
【考案の詳細な説明】
【考案の開示】
【考案が解決しようとする課題】
【０００１】ソフトバレ−ボ−ル球は、使用前に膨らませて規格のサイズに合わせているが、空気を入れ過ぎた場合、球の弁が硬く、市販の空気針では空気量を合わせるのが困難なため、大きいまま使用しているのが現状である。また、球の弾力低下を防ぐため、使用後は空気を抜く必要あるが、空気を抜けずに球の弾力を弱めてしまうという問題点があった。
【考案が解決するための手段】
【０００２】針の抜差しが容易で抜く空気量を指先で制御できる空気抜針を製作した。また、使用後は空気抜針を刺しておくだけで、空気を抜けるようにした。
【考案の効果】
【０００３】空気抜針を使用することにより、ソフトバレ−ボ−ル球を短時間で規格のサイズに調整できる。また、球の保護も確実にできるようになった。その他、バレ−ボ−ル球、バスケットボ−ル球等の空気圧を下げる場合にも使用できる。
【図面の簡単な説明】
【図１】空気抜針本体の平面図である。
【図２】考案した空気抜針の使用状況を示す平面図である。
【符号の説明】
１  空気抜針本体
２  ソフトバレ−ボ−ル球
３  針
４  空気抜穴
【図１】
0003122994.tif 000003
【図２】
0003122994.tif 000004
【手続補正書】
【提出日】平成17年12月16日(2005.12.16)
【手続補正１】
【補正対象書類名】実用新案登録請求の範囲
【補正対象項目名】全文
【補正方法】変更
【補正の内容】
【実用新案登録請求の範囲】
【請求項１】
空気抜針は、通常、空気を入れるための空気針を、円筒状の筒（約１０Ｃｍ）の片方に取付け、空気針から入った空気が筒の中を通り、針の反対側の穴から抜ける構造であり、円筒状の筒の片方に針が付いた形状を有する（空気抜針）。
【手続補正書】
【提出日】平成18年3月8日(2006.3.8)
【手続補正１】
【補正対象書類名】実用新案登録請求の範囲
【補正対象項目名】全文
【補正方法】変更
【補正の内容】
【実用新案登録請求の範囲】
【請求項１】
空気抜針は、空気針を取付けられる太さの円筒を握りやすい長さに切り、円筒の片側に空気針を取付け、空気針から入った空気が円筒の中を通り、反対側の穴から抜ける構造であり、円筒の片側に針が付いた形状を有する空気抜針。